(57)【要約】【課題】カーテンウォールの仮置き場所面積を減らしつつカーテンウォールを建物構造躯体に取り付けることができること。【解決手段】カーテンウォール本体及び付属物を現場場内の仮置き場所に搬入し（ステップＳ１０１）、前記仮置き場所近傍に定置されたカーテンウォール揚重ボックス内に仮置きされたカーテンウォール本体を搬入し、該カーテンウォール揚重ボックス内で複数の前記カーテンウォールユニットを形成し（ステップＳ１０２）、内部に複数の前記カーテンウォールユニットが形成されたカーテンウォール揚重ボックスを前記カーテンウォールユニットが取り付けられる建物構造躯体近傍に搬送し（ステップＳ１０３）、前記カーテンウォール揚重ボックス内のカーテンウォールユニットを順次建物構造躯体に取り付ける（ステップＳ１０４）。【選択図】図７
2015071879.tif 000002
【特許請求の範囲】
【請求項１】
カーテンウォール本体及び付属物を現場場内に搬入し、付属物が取り付けられたカーテンウォールユニットを組み立てて該カーテンウォールユニットを建物構造躯体に取り付けるカーテンウォール取付方法であって、
カーテンウォール本体及び付属物を現場場内の仮置き場所に搬入する搬入ステップと、
前記仮置き場所近傍に定置されたカーテンウォール揚重ボックス内に仮置きされたカーテンウォール本体を搬入し、該カーテンウォール揚重ボックス内で複数の前記カーテンウォールユニットを形成するユニット形成ステップと、
内部に複数の前記カーテンウォールユニットが形成されたカーテンウォール揚重ボックスを前記カーテンウォールユニットが取り付けられる建物構造躯体近傍に搬送するユニット搬送ステップと、
前記カーテンウォール揚重ボックス内のカーテンウォールユニットを順次建物構造躯体に取り付けるユニット取付ステップと、
を含むことを特徴とするカーテンウォール取付方法。
【請求項２】
前記ユニット形成ステップは、前記カーテンウォール揚重ボックスの掲示板に、形成すべき所望のカーテンウォールユニットのユニット構成、ボックス内配置、及び建物構造躯体への取付位置の情報が掲示され、これらの情報をもとに前記カーテンウォールユニットを前記カーテンウォール揚重ボックス内で形成することを特徴とする請求項１に記載のカーテンウォール取付方法。
【請求項３】
前記ユニット取付ステップは、前記建物構造躯体への取付位置の情報をもとに前記カーテンウォールユニットを順次建物構造躯体に取り付けることを特徴とする請求項２に記載のカーテンウォール取付方法。
【請求項４】
前記ユニット搬送ステップは、搬送されたカーテンウォール揚重ボックスの上端部の建物構造躯体側に設けられた係止用突起部が前記建物構造体躯体に係止し、前記上端部の建物構造躯体の反対側に設けられた吊止部に、建物構造躯体に取り付けられたワイヤロープに取り付け、前記カーテンウォール揚重ボックスを前記建物構造躯体に片持ち状態で固定されることを特徴とする請求項１〜３のいずれか一つに記載のカーテンウォール取付方法。
【請求項５】
カーテンウォール本体及び付属物を現場場内に搬入し、付属物が取り付けられたカーテンウォールユニットを組み立てて該カーテンウォールユニットを建物構造躯体に取り付ける際に用いられるカーテンウォール揚重ボックスであって、
仮置き場所に配置されたカーテンウォール本体を前記仮置き場所近傍に定置された前記カーテンウォール揚重ボックス内に搬入し、該カーテンウォール揚重ボックス内で前記付属物を取り付けて複数の前記カーテンウォールユニットを形成し、内部に複数の前記カーテンウォールユニットが形成されたカーテンウォール揚重ボックスを前記カーテンウォールユニットが取り付けられる建物構造躯体近傍に搬送し、搬送されたカーテンウォール揚重ボックス内のカーテンウォールユニットを順次取り出して前記建物構造躯体に取り付けることを特徴とするカーテンウォール揚重ボックス。
【請求項６】
前記カーテンウォール揚重ボックスは、形成すべき所望のカーテンウォールユニットのユニット構成、ボックス内配置、及び建物構造躯体への取付位置の情報を掲示する掲示板を有することを特徴とする請求項５に記載のカーテンウォール揚重ボックス。
【請求項７】
前記カーテンウォール揚重ボックスは、
上端部の建物構造躯体側に係止用突起部が設けられ、
前記上端部の建物構造躯体の反対側に吊止部が設けられ、
前記カーテンウォールユニットが取り付けられる建物構造躯体近傍で、前記係止用突起部を前記建物構造体躯体に係止し、前記建物構造躯体に取り付けられたワイヤロープを前記吊止部に取り付け、前記カーテンウォール揚重ボックスを前記建物構造躯体に片持ち状態で固定することを特徴とする請求項５または６に記載のカーテンウォール揚重ボックス。
【発明の詳細な説明】
【技術分野】
【０００１】
この発明は、カーテンウォールの仮置き場所面積を減らしつつカーテンウォールを建物構造躯体に取り付けることができるカーテンウォール取付方法及びこれに用いるカーテンウォール揚重ボックスに関する。
【背景技術】
【０００２】
従来から、カーテンウォールを建物構造躯体に取り付ける施工を行う場合、建物現場の場内フロアなどでカーテンウォール本体を一旦、仮置きして平らに並べ、その後、カーテンウォール本体にフィンなどの付属物を取り付けてから揚重するのが一般的である。
【０００３】
なお、特許文献１には、カーテンウォールの取り付け方法が記載されている。この取り付け方法は、まず所定の作業場でフレーム枠にガラス板を装着して所定寸法のユニットをなすカーテンウォールを形成し、このカーテンウォールが固定された架台をカーテンウォールを取り付けるべき建物躯体に搬送する。その後、カーテンウォールを取り付けるべき建物躯体の取り付け箇所近傍で、架台を吊り上げることでカーテンウォールを吊り上げ、この架台に取り付けられた状態でカーテンウォールを建物躯体の取り付け箇所に取り付ける。その後、架台をカーテンウォールから取り外すようにしている。
【先行技術文献】
【特許文献】
【０００４】
【特許文献１】特開平１０−１８５９９号公報
【発明の概要】
【発明が解決しようとする課題】
【０００５】
しかしながら、従来の一般的なカーテンウォールの取付方法では、カーテンウォールの仮置き場所が場内で広範囲にわたり占有することになり、他の作業に支障を招き易いという問題があった。
【０００６】
また、同一コンテナ内に、どの部位のカーテンウォールが格納されているかの判別が困難なため、床上に仮置きして一旦並べた後に、カーテンウォールの取付順あるいはカーテンウォールユニットのペアごとに、改めて並び替えるという煩雑な作業を行う必要があった。
【０００７】
さらに、カーテンウォールの仮置き時に、カーテンウォール表面への溶接火花の落下などによって、傷や汚れが付き易いという問題があった。
【０００８】
この発明は、上記に鑑みてなされたものであって、カーテンウォールの仮置き場所面積を減らしつつカーテンウォールを建物構造躯体に取り付けることができるカーテンウォール取付方法及びこれに用いるカーテンウォール揚重ボックスを提供することを目的とする。
【課題を解決するための手段】
【０００９】
上述した課題を解決し、目的を達成するために、この発明にかかるカーテンウォール取付方法は、カーテンウォール本体及び付属物を現場場内に搬入し、付属物が取り付けられたカーテンウォールユニットを組み立てて該カーテンウォールユニットを建物構造躯体に取り付けるカーテンウォール取付方法であって、カーテンウォール本体及び付属物を現場場内の仮置き場所に搬入する搬入ステップと、前記仮置き場所近傍に定置されたカーテンウォール揚重ボックス内に仮置きされたカーテンウォール本体を搬入し、該カーテンウォール揚重ボックス内で複数の前記カーテンウォールユニットを形成するユニット形成ステップと、内部に複数の前記カーテンウォールユニットが形成されたカーテンウォール揚重ボックスを前記カーテンウォールユニットが取り付けられる建物構造躯体近傍に搬送するユニット搬送ステップと、前記カーテンウォール揚重ボックス内のカーテンウォールユニットを順次建物構造躯体に取り付けるユニット取付ステップと、を含むことを特徴とする。
【００１０】
また、この発明にかかるカーテンウォール取付方法は、上記の発明において、前記ユニット形成ステップは、前記カーテンウォール揚重ボックスの掲示板に、形成すべき所望のカーテンウォールユニットのユニット構成、ボックス内配置、及び建物構造躯体への取付位置の情報が掲示され、これらの情報をもとに前記カーテンウォールユニットを前記カーテンウォール揚重ボックス内で形成することを特徴とする。
【００１１】
また、この発明にかかるカーテンウォール取付方法は、上記の発明において、前記ユニット取付ステップは、前記建物構造躯体への取付位置の情報をもとに前記カーテンウォールユニットを順次建物構造躯体に取り付けることを特徴とする。
【００１２】
また、この発明にかかるカーテンウォール取付方法は、上記の発明において、前記ユニット搬送ステップは、搬送されたカーテンウォール揚重ボックスの上端部の建物構造躯体側に設けられた係止用突起部が前記建物構造体躯体に係止し、前記上端部の建物構造躯体の反対側に設けられた吊止部に、建物構造躯体に取り付けられたワイヤロープに取り付け、前記カーテンウォール揚重ボックスを前記建物構造躯体に片持ち状態で固定されることを特徴とする。
【００１３】
また、この発明にかかるカーテンウォール揚重ボックスは、カーテンウォール本体及び付属物を現場場内に搬入し、付属物が取り付けられたカーテンウォールユニットを組み立てて該カーテンウォールユニットを建物構造躯体に取り付ける際に用いられるカーテンウォール揚重ボックスであって、仮置き場所に配置されたカーテンウォール本体を前記仮置き場所近傍に定置された前記カーテンウォール揚重ボックス内に搬入し、該カーテンウォール揚重ボックス内で前記付属物を取り付けて複数の前記カーテンウォールユニットを形成し、内部に複数の前記カーテンウォールユニットが形成されたカーテンウォール揚重ボックスを前記カーテンウォールユニットが取り付けられる建物構造躯体近傍に搬送し、搬送されたカーテンウォール揚重ボックス内のカーテンウォールユニットを順次取り出して前記建物構造躯体に取り付けることを特徴とする。
【００１４】
また、この発明にかかるカーテンウォール揚重ボックスは、上記の発明において、前記カーテンウォール揚重ボックスは、形成すべき所望のカーテンウォールユニットのユニット構成、ボックス内配置、及び建物構造躯体への取付位置の情報を掲示する掲示板を有することを特徴とする。
【００１５】
また、この発明にかかるカーテンウォール揚重ボックスは、上記の発明において、前記カーテンウォール揚重ボックスは、上端部の建物構造躯体側に係止用突起部が設けられ、前記上端部の建物構造躯体の反対側に吊止部が設けられ、前記カーテンウォールユニットが取り付けられる建物構造躯体近傍で、前記係止用突起部を前記建物構造体躯体に係止し、前記建物構造躯体に取り付けられたワイヤロープを前記吊止部に取り付け、前記カーテンウォール揚重ボックスを前記建物構造躯体に片持ち状態で固定することを特徴とする。
【発明の効果】
【００１６】
この発明によれば、仮置き場所に配置されたカーテンウォール本体を前記仮置き場所近傍に定置された前記カーテンウォール揚重ボックス内に搬入し、該カーテンウォール揚重ボックス内で前記付属物を取り付けて複数の前記カーテンウォールユニットを形成し、内部に複数の前記カーテンウォールユニットが形成されたカーテンウォール揚重ボックスを前記カーテンウォールユニットが取り付けられる建物構造躯体近傍に搬送し、搬送されたカーテンウォール揚重ボックス内のカーテンウォールユニットを順次取り出して前記建物構造躯体に取り付けるようにしている。したがって、カーテンウォール揚重ボックス内という小スペースでカーテンウォールユニットの組み立てが行われ、カーテンウォールユニットを平面的に展開する必要がないため、カーテンウォールの仮置き場所仮置き場所面積を減らしつつカーテンウォールを建物構造躯体に取り付けることができる。
【図面の簡単な説明】
【００１７】
【図１】図１は、梱包カーテンウォールの搬入状態を示す模式図である。
【図２】図２は、揚重された梱包カーテンウォールの開梱とカーテンウォール本体の仮置きとを示す模式図である。
【図３】図３は、仮置きされたカーテンウォール本体をカーテンウォール揚重ボックス内に搬入する状態を示す模式図である。
【図４】図４は、カーテンウォールユニットの一例を示す斜視図である。
【図５】図５は、カーテンウォール揚重ボックスとカーテンウォール揚重ボックス内に配置されるカーテンウォールユニットとの関係を示す斜視図である。
【図６】図６は、カーテンウォール揚重ボックスで搬送されたカーテンウォールユニットの建物構造躯体への取付状態を示す模式図である。
【図７】図７は、カーテンウォール取付手順を示すフローチャートである。
【発明を実施するための形態】
【００１８】
以下、添付図面を参照してこの発明を実施するための形態について説明する。この実施の形態では、カーテンウォール揚重ボックスを用いてカーテンウォールユニットを建物構造躯体に取り付けるようにしている。
【００１９】
まず、図１に示すように、複層ガラスで形成された複数のカーテンウォール本体が梱包された梱包カーテンウォール１が複数積載されたコンテナ１００がトレーラ１０１に牽引されて建物構造躯体近傍に搬送される。梱包カーテンウォール１は、例えば、２４００ｍｍ×４２００ｍｍのカーテンウォール本体が２セットと、１２００ｍｍ×４２００ｍｍのカーテンウォール本体が１セットと、が梱包された荷姿となっている。
【００２０】
コンテナ１００内の梱包カーテンウォール１は、コンテナ１００に横付けされたカーテンウォール牽引装置１０２を用いて引き出される。引き出された梱包カーテンウォール１は、クローラクレーンによって吊り上げられ、例えば、建物構造躯体のｎＦ床（ｎは自然数）に揚重される。なお、梱包カーテンウォール１の地切りの際、梱包カーテンウォール１の下部にキャスター１０３が取り付けられる。なお、梱包カーテンウォール１の重量は、２〜３トン程度である。
【００２１】
図２に示すように、下層階であるｎＦ床に揚重された梱包カーテンウォール１は、ｎＦ床上で搬送されて開梱され、カーテンウォール本体２に分離される。その後、カーテンウォール本体２は、チェーンブロック１０４を用いて平置きされる。すなわち、仮置きされる。
【００２２】
ここで、図３に示すように、ｎＦ床上には、カーテンウォール揚重ボックス１０が定置されている。ｎＦ床上に仮置きされたカーテンウォール本体２は、平床台車１０５を用いて、カーテンウォール揚重ボックス１０近傍までｎＦ床上を移動する。カーテンウォール揚重ボックス１０の上部、例えば（ｎ＋２）Ｆ床下部には、テルハ１０６が設置されている。テルハ１０６は、平床台車１０５で移動したカーテンウォール本体２を立ち掛け、さらに９０度回転させ、この状態で、カーテンウォール揚重ボックス１０内の所定位置に搬入する。
【００２３】
カーテンウォール揚重ボックス１０内に搬入されたカーテンウォール本体２は、カーテンウォール揚重ボックス１０内で複数のカーテンウォールユニット３を形成する。例えば、図４に示すように、２つの異なるカーテンウォール本体２ａ，２ｂを合体させるとともに、ゴンドラレール４、縦フィン５、縦枠６などの付属物を取り付けて、１つのカーテンウォールユニット３を形成する。なお、付属物は、カーテンウォール本体２と同様に、揚重されてｎＦ床に仮置きされている。
【００２４】
図５に示すように、カーテンウォール揚重ボックス１０は、複数の枠部材１１を用いて、水平方向に延びる四角柱空間を形成し、少なくとも、上部が開放するとともに底部１２を有する。カーテンウォール揚重ボックス１０は、四角柱空間を形成し、この四角柱空間内にカーテンウォール本体２や付属物の搬入が可能で、かつ、形成されたカーテンウォールユニット３の搬出が可能である。また、カーテンウォール揚重ボックス１０は、四角柱空間内にカーテンウォールユニット３が配列され、カーテンウォールユニット３が外部に落ちない構造であるとともに、作業員がカーテンウォールユニット３の形成ができるように足場としての底部１２を有する。
【００２５】
また、カーテンウォール揚重ボックス１０は、カーテンウォールユニット３が形成される領域Ｅ毎に、掲示板１３が設けられる。この掲示板１３には、形成すべき所望のカーテンウォールユニット３のユニット構成、ボックス内配置、及び建物構造躯体への取付位置の情報が掲示される。ユニット構成は、カーテンウォールユニット３を構成するカーテンウォール本体２と付属物との組み合わせを示すパターン構成である。ボックス内配置は、形成されるカーテンウォールユニット３が配置される領域Ｅを示す。建物構造躯体への取付位置は、カーテンウォールユニット３が建物構造躯体に取り付けられる位置を示している。なお、この掲示板１３の掲示内容は、変更可能である。
【００２６】
さらに、カーテンウォール揚重ボックス１０の上端部の建物構造躯体側に係止用突起部１４が設けられる。また、カーテンウォール揚重ボックス１０の上端部の建物構造躯体の反対側に吊止部１５が設けられる。
【００２７】
図６に示すように、カーテンウォールユニット３が形成された状態のカーテンウォール揚重ボックス１０は、クレーンなどによって揚重され、カーテンウォールユニット３の取付作業を行う（Ｎ−１）Ｆ床（Ｎは自然数）に固定される。この際、係止用突起部１４は、（Ｎ−１）Ｆ床の端部に係止され、ＮＦ床に取り付けられたワイヤロープ１６を吊止部１５に取り付け、カーテンウォール揚重ボックス１０を建物構造躯体に片持ち状態で固定する。
【００２８】
その後、作業員は、掲示板１３に掲示された建物構造躯体への取付位置の情報をもとに、クレーンなどを用いてカーテンウォール揚重ボックス１０からカーテンウォールユニット３を取り出し、このカーテンウォールユニット３を建物構造躯体に順次取り付ける。例えば、図５に示したカーテンウォール揚重ボックス１０内のカーテンウォールユニット３ａ〜３ｃは、建物構造躯体への取付位置の情報をもとに、図６に示す建物構造躯体の位置に順次取り付けられる。
【００２９】
ここで、図７に示したフローチャートを参照して、カーテンウォール取付手順について説明する。まず、カーテンウォール本体２及び付属物を現場場内の仮置き場所に搬入する（ステップＳ１０１）。その後、仮置き場所近傍に定置されたカーテンウォール揚重ボックス１０内に仮置きされたカーテンウォール本体２を搬入し、カーテンウォール揚重ボックス１０内で複数のカーテンウォールユニット３を形成する（ステップＳ１０２）。この際、掲示板１３に掲示されたカーテンウォールユニット３のユニット構成及びボックス内配置の情報をもとにカーテンウォールユニット３を形成する。その後、内部に複数のカーテンウォールユニット３が形成されたカーテンウォール揚重ボックス１０をカーテンウォールユニット３が取り付けられる建物構造躯体近傍に搬送する（ステップＳ１０３）。その後、カーテンウォール揚重ボックス１０内のカーテンウォールユニットを順次建物構造躯体に取り付ける（ステップＳ１０４）。この際、掲示板１３に掲示された建物構造躯体への取付位置の情報をもとに、カーテンウォールユニット３を取り出して、順次建物構造躯体の取付位置に取り付ける。
【００３０】
この実施の形態では、カーテンウォール揚重ボックス１０内という小スペースでカーテンウォールユニット３の組み立てが行われる。この結果、カーテンウォールユニット３を平面的に展開する必要がないため、カーテンウォールの仮置き場所面積を減らしつつカーテンウォールを建物構造躯体に取り付けることができる。
【００３１】
また、カーテンウォール揚重ボックス１０内で組み立てられるカーテンウォールユニット３は、建物構造躯体の取付位置に対応して配列することが可能であり、カーテンウォールユニット３の取付順あるいはカーテンウォールユニットのペアごとに、改めて並び替えるという煩雑な作業を行う必要がない。
【００３２】
さらに、カーテンウォール本体の仮置き場所は小さい領域であるため、カーテンウォール表面への溶接火花の落下などによって、傷や汚れが付くおそれが低減される。
【符号の説明】
【００３３】
１  梱包カーテンウォール
２，２ａ，２ｂ  カーテンウォール本体
３  カーテンウォールユニット
４  ゴンドラレール
５  縦フィン
６  縦枠
１０  カーテンウォール揚重ボックス
１１  枠部材
１２  底部
１３  掲示板
１４  係止用突起部
１５  吊止部
１６  ワイヤロープ
１００  コンテナ
１０１  トレーラ
１０２  カーテンウォール牽引装置
１０３  キャスター
１０４  チェーンブロック
１０５  平床台車
１０６  テルハ
【図１】
2015071879.tif 000003
【図２】
2015071879.tif 000004
【図３】
2015071879.tif 000005
【図４】
2015071879.tif 000006
【図５】
2015071879.tif 000007
【図６】
2015071879.tif 000008
【図７】
2015071879.tif 000009